(57)【要約】【課題】土壌を熱水消毒する熱水の生成、及び灌水用温水の生成を一台のボイラーで行える栽培用ボイラーを得る。【解決手段】土壌消毒に要する温度の熱水を生成する熱水ボイラー（１０）を設け、該熱水ボイラー（１０）で生成された熱水を土壌（３０）の熱水消毒ホース（１９）側と温水生成装置（２０）側とに切り換え、又は分配する流量調整弁（ＭＶ１）を設け、前記温水生成装置（２０）は、前記熱水ボイラー（１０）で生成された熱水に水を混合させて植物の育成に適した温度の温水を生成し、該温水を灌水ホース（２６）に接続する。また、前記温水生成装置（２０）は、所定量の水を貯水する貯水タンク（２１）を設け、該貯水タンク（２１）の水を流量調整弁（ＭＶ１）の下流側で熱水に混合及び循環させて植物の育成に適した温度の温水を生成する。【選択図】図２
2006246765.tif 000002
【特許請求の範囲】
【請求項１】
土壌消毒に要する温度の熱水を生成する熱水ボイラー（１０）を設け、該熱水ボイラー（１０）で生成された熱水を土壌（３０）の熱水消毒ホース（１９）側と温水生成装置（２０）側とに切り換え、又は分配する流量調整弁（ＭＶ１）を設け、前記温水生成装置（２０）は、前記熱水ボイラー（１０）で生成された熱水に水を混合させて植物の育成に適した温度の温水を生成し、該温水を灌水ホース（２６）に接続できるようにしたことを特徴とする栽培用ボイラー。
【請求項２】
温水生成装置（２０）は、所定量の水を貯水する貯水タンク（２１）を設け、該貯水タンク（２１）の水を流量調整弁（ＭＶ１）の下流側で熱水に混合及び循環させて植物の育成に適した温度の温水を生成することを特徴とする請求項１記載の栽培用ボイラー。
【発明の詳細な説明】
【技術分野】
【０００１】
本発明は、土壌を病原菌の死滅温度まで加熱する熱水を生成したり、灌水する水を植物の育成に適した温度に加温したりする栽培用ボイラーに関するものである。
【背景技術】
【０００２】
一般に、土壌中の病原菌を死滅させる、いわゆる土壌消毒を行う手段として、臭化メチル等の薬剤を土壌内に注入する薬剤消毒、熱水によって土壌を病原菌の死滅温度に加熱する熱水消毒等がある。前記薬剤消毒は公害等、環境に悪影響が出るおそれがあるため、近年では、熱水消毒が脚光を浴びている。また、冬季あるいは寒冷地では、灌水する水を植物の育成に適した温度に加温するようにしている。
【０００３】
ところで、従来では、熱水消毒は熱水を発生させる専用の熱水ボイラーを使用し、灌水の水を加温する際には専用の温水ボイラーを使用するようにしていたため、設備費が嵩むとともに、保守・管理に手数を要するものであった。
【特許文献１】特開２００１−３２７２３９公報
【特許文献２】特開平１１−４２０２７号公報
【発明の開示】
【発明が解決しようとする課題】
【０００４】
本発明は、土壌を熱水消毒する熱水の生成、及び灌水用温水の生成を一台のボイラーで行えるようにした新規な栽培用ボイラーを得ることを目的とする。
【課題を解決するための手段】
【０００５】
本発明は前記目的を達成するために、以下の如く構成したものである。即ち、請求項１に係る発明は、土壌消毒に要する温度の熱水を生成する熱水ボイラーを設け、該熱水ボイラーで生成された熱水を土壌の熱水消毒ホース側と温水生成装置側とに切り換え、又は分配する流量調整弁を設け、前記温水生成装置は、前記熱水ボイラーで生成された熱水に水を混合させて植物の育成に適した温度の温水を生成し、該温水を灌水ホースに接続できるようにしたものである。
請求項２に係る発明は、前記温水生成装置の構成として、所定量の水を貯水する貯水タンクを設け、該貯水タンクの水を流量調整弁の下流側で熱水に混合及び循環させて植物の育成に適した温度の温水を生成するようにしたものである。
【発明の効果】
【０００６】
請求項１に係る発明は、流量調整弁を熱水消毒ホース側に切り換えると、熱水ボイラーで生成された熱水が熱水消毒ホースを介して土壌に供給され、該土壌を病原菌の死滅温度まで加熱、つまり熱水消毒することになる。前記流量調整弁を温水生成装置側に切り換えると、該温水生成装置が、前記熱水ボイラーで生成された熱水に水を混合させて温水を生成し、該温水が灌水ホースを介して植物の育成に適した温水で灌水されることになる。
【０００７】
また、前記流量調整弁を熱水消毒ホース側と熱水ボイラーとの中間位置に作動させると、熱水ボイラーで生成された一部の熱水が熱水消毒ホースを介して消毒側の土壌に供給され、該土壌を熱水消毒し、残余の熱水が温水生成装置によって植物の育成に適した温度に変換され、該温水が灌水ホースを介して灌水されることになる。
【０００８】
請求項２に係る発明は、熱水が温水生成装置側に供給されると、該温水生成装置によって貯水タンク内の水が流量調整弁の下流側の熱水に混合及び循環され、植物の育成に適した温度の温水が安定して得られることになる。
【発明を実施するための最良の形態】
【０００９】
以下本発明を図に基づいて説明する。図において、図１は本発明による栽培用ボイラーの側面図、図２は本発明による栽培用ボイラーの配管状態を示す配管図、図３は土壌の熱水消毒状態を示す要部断面図、図４は植物への灌水状態を示す要部断面図である。
【００１０】
図１において、１は栽培用ボイラーであり、台車２の後部（図１おいて左部）に熱水ボイラー１０を、該台車２の前部に温水生成装置２０を載置してなる。台車２は後部側に車輪３を、前部側に前脚４及び把手５を有し、熱水消毒、あるいは温水灌水時には前記前脚４を接地させて台車２を地面に固定し、移動時には把手５で持ち上げて前脚４を地面から離間させ、該把手５を引っ張って所定の場所に移動させる。
【００１１】
前記熱水ボイラー１０は、熱水罐１１の後部に灯油、重油等を燃焼させるバーナー１２を有し、給水管１３により前記熱水罐１１に供給された水を前記バーナー１２の燃焼熱を利用して８０℃〜９５℃の熱水に生成するようになっている。前記熱水ボイラー１０で生成された熱水は熱水ポンプＰ１、熱水吐出管１４を介して外部に吐出される。ＳＶ１は第１温度調節弁であり、図１、図２に示すように、熱水ポンプＰ１の吐出側の熱水の温度を熱水センサーＳ１で検知し、前記温度が設定値、つまり８０℃〜９５℃になると熱水吐出管１４側に切換え、設定値以下の場合は戻し管１５側に切り換えて熱水罐１１に戻すようになっている。
【００１２】
前記熱水吐出管１４の途中に三方切換弁式の流量調節弁ＭＶ１を取り付け、該流量調整弁ＭＶ１により前記熱水吐出管１４の熱水を消毒用熱水供給路１６側と、温水用熱水供給路１７側とに切り換える。消毒用熱水供給路１６には、図２に示すように、分配管１８を介して多数の消毒ホース１９が接続される。
【００１３】
前記温水用熱水供給路１７は、温水生成装置２０に接続され、ここで約３５℃の温水を得るようにする。約３５℃の温度は、後述する灌水ホース２６から散水される時の温度が植物の育成に適した温度、例えば２５℃〜３０℃となるための温度である。前記温水生成装置２０は、図１、図２に示すようになっている。即ち、所定量の水を貯水する貯水タンク２１に導入管２２を介して水道水、井戸水等の水を導入し、前記貯水タンク２１内の水を温水ポンプＰ２により前記温水用熱水供給路１７内の熱水に混合させる。該温水用熱水供給路１７の下流端部に第２温度調節弁ＳＶ２を取り付ける。該第２温度調節弁ＳＶ２は、前記混合された混合水の温度を温水センサーＳ２で検知し、該温度が設定値、つまり約３５℃の場合は、温水吐出路２３側に切換え、設定値以下の場合は戻し管２４側に切り換えて貯水タンク２１に戻すようになっている。前記温水吐出路２３には、図２に示すように、分配管２５を介して多数の灌水ホース２６が接続される。
【００１４】
次に、前記実施例の使用態様について説明する。まず、土壌を熱水消毒する際には、以下の如くして行う。即ち、図３に示すように、消毒を対象とする土壌３０の表面に、多数の噴出孔が形成された消毒ホース１９を載置する。次いで、前記土壌３０の表面３０ａをポリエチレンシート又はビニールシートからなる非通気性のシート３１により覆い、該シート３１の周縁部に錘３２を載せて密閉し、前記シート３１の上面を軽量の保温シート３３により覆う。
【００１５】
次いで、図２に示すように、前記消毒ホース１９を分配管１８を介して熱水ボイラー１０の消毒用熱水供給路（ホース）１６に接続し、流量調整弁ＭＶ１を分配管１８側に切り換える。さすれば、熱水ボイラー１０で生成された熱水が、熱水吐出管１４、消毒用熱水供給路１６、分配管１８を介して消毒ホース１９に供給され、該消毒ホース１９から消毒用の熱水３４が噴出する。この状態を持続させて土壌３０の温度が、例えば深さ約２０ｃｍに至って作物病原菌の死滅温度（６０℃以上）となるように加熱する。
【００１６】
次に、温水により灌水する際には、以下の如くして行う。即ち、図４に示すように、灌水を対象とする栽培地３５の表面の所定箇所に、多数の噴出孔が形成された灌水ホース２６を載置する。次いで、図２に示すように、前記灌水ホース（ホース）２６を分配管２５を介して温水生成装置２０の温水吐出路２３に接続し、前述した流量調整弁ＭＶ１を温水用熱水供給路１７側に切り換える。さすれば、温水生成装置２０で生成された温水が、温水吐出路２３、分配管２５を介して灌水ホース２６に供給され、該灌水ホース２６から２５℃〜３０℃の温水３７が噴出し、植物３６の育成に適した温水で灌水されることになる。なお、熱水ボイラー１０で得た熱水により熱水消毒と灌水の双方を行なう場合は、前記流量調整弁ＭＶ１を消毒用熱水供給路１６側と、温水用熱水供給路１７側との中間位置に作動させる。
【図面の簡単な説明】
【００１７】
【図１】本発明による栽培用ボイラーの側面図である。
【図２】本発明による栽培用ボイラーの配管状態を示す配管図である。
【図３】土壌の熱水消毒状態を示す要部断面図である。
【図４】植物への灌水状態を示す要部断面図である。
【符号の説明】
【００１８】
１    栽培用ボイラー
２    台車
３    車輪
４    前脚
５    把手
１０    熱水ボイラー
１１    熱水罐
１２    バーナー
１３    給水管
１４    吐出管
１５    戻し管
１６    消毒用熱水供給路
１７    温水用熱水供給路
１８    分配管
１９    消毒ホース
２０    温水生成装置
２１    貯水タンク
２２    導入管
２３    温水吐出路
２４    戻し管
２５    分配管
２６    灌水ホース
３０    土壌
３０ａ  土壌表面
３１    シート
３２    錘
３３    保温シート
３４    熱水
３５    栽培地
３６    植物
３７    温水
Ｐ１    熱水ポンプ
Ｐ２    温水ポンプ
ＳＶ１    第１温度調節弁
ＳＶ２    第２温度調節弁
ＭＶ１    流量調整弁（三方切換弁）
Ｓ１    熱水センサー
Ｓ２    温水センサー
【図１】
2006246765.tif 000003
【図２】
2006246765.tif 000004
【図３】
2006246765.tif 000005
【図４】
2006246765.tif 000006